(57)【要約】【課題】陳列棚としても使用できるとともに、複数の物品を取り出しやすく、かつ、見栄えよく収納することができる折り畳み容器を提供することを目的としている。【解決手段】組立状態で少なくとも１つの側壁が開放可能に形成されている折り畳み容器であって、棚板を備えるとともに、棚板の端部を下側から受けて棚板を容器の底から所定の高さ位置に支持する棚板支持用突起が前記開放可能に形成された側壁以外の対向する一対の側壁の容器内壁面にそれぞれ突設されていることを特徴としている。【選択図】      図１
2008239188.tif 000002
【特許請求の範囲】
【請求項１】
組立状態で少なくとも１つの側壁が開放可能に形成されている折り畳みコンテナであって、
棚板を備えるとともに、
棚板の端部を下側から受けて棚板をコンテナの底から所定の高さ位置に支持する棚板支持用突起が前記開放可能に形成された側壁以外の対向する一対の側壁のコンテナ内壁面にそれぞれ突設されていることを特徴とする折り畳みコンテナ。
【請求項２】
棚板が、棚板支持用突起の通過可能な切欠を端部に有するとともに、棚板支持用突起が形成されたコンテナの内壁面に平行な方向にコンテナ内を水平移動可能な寸法に形成されている請求項１に記載の折り畳みコンテナ。
【請求項３】
棚板が折り畳み状態のコンテナ内に収容可能に形成されている請求項１または請求項２に記載の折り畳みコンテナ。
【請求項４】
棚板に指挿入用孔が穿設されている請求項１〜請求項３のいずれかに記載の折り畳みコンテナ。
【発明の詳細な説明】
【技術分野】
【０００１】
本発明は、たとえば、物品保管用または仕分け用として用いられる折り畳み容器に関する。
【背景技術】
【０００２】
物品を輸送する場合に用いられる容器として、折り畳み容器が従来から使用されている。
すなわち、折り畳み容器は、組み立てた状態で物品を容器内に収容して目的地までトラック等の輸送手段で輸送することができるとともに、目的地で物品が取り出されて空になると、折り畳んでコンパクトにすることができるので、空になった容器を回収する場合、折り畳んだ状態でトラック等の輸送手段によって輸送すれば、輸送効率が高くなるという利点を備えている。
【０００３】
また、この折り畳み容器として、容器の一側面に開口部を形成するとともに、一側面に開口部を開閉する扉や側板を取り付けた折り畳み容器がすでに提案されている（特許文献１、２参照）。
すなわち、上記のような折り畳み容器の場合、容器を組み立てて物品を収容し、扉を開放するあるいは側板を取り外して開口部を開放状態としておけば、積み重ねた状態で保管する場合、収納された物品を開口部から取り出せるため、積み重ねた容器をいちいち下ろして作業しなくてもよくなるという利点がある。また、このような折り畳み容器を店舗内で積み重ねて陳列棚として使用できるという利点もある。
【０００４】
しかしながら、容器内には、単一商品が収容されているだけでなく、形状や色合いの異なる複数種の物品が積み重なった状態で収容されていることもあるため、上記のように陳列棚として使用した場合、下側の商品を取り出そうとした場合、上側の商品まで一旦取り出さなくてはならず、非常に面倒である。
【０００５】
【特許文献１】特公平５−２５７４３号公報
【特許文献２】特開２００６−７６５９７号公報
【発明の開示】
【発明が解決しようとする課題】
【０００６】
本発明は、上記事情に鑑みて、陳列棚としても使用できるとともに、複数の物品を取り出しやすく、かつ、見栄えよく収納することができる折り畳み容器を提供することを目的としている。
【課題を解決するための手段】
【０００７】
上記目的を達成するために、本発明にかかる折り畳み容器は、組立状態で少なくとも１つの側壁が開放可能に形成されている折り畳み容器であって、棚板を備えるとともに、棚板の端部を下側から受けて棚板を容器の底から所定の高さ位置に支持する棚板支持用突起が前記開放可能に形成された側壁以外の対向する一対の側壁の容器内壁面にそれぞれ突設されていることを特徴としている。
【０００８】
また、本発明において、棚板が、棚板の棚板支持用突起に受けられる少なくとも一方の端部に、突起が通過可能な切欠を有するとともに、棚板支持用突起が形成された容器の内壁面に平行な方向に容器内を水平移動可能な寸法に形成されていること、棚板が折り畳み状態の容器内に収容可能に形成されていること、棚板に指挿入用孔が穿設されていることが好ましい。
【０００９】
折り畳み容器の材質としては、特に限定されないが、合成樹脂、木質材料、軽量金属などが挙げられ、これらが単独で、あるいは併用される。
【発明の効果】
【００１０】
本発明にかかる折り畳み容器は、組立状態で少なくとも１つの側壁が開放可能に形成されている折り畳み容器であって、棚板を備えるとともに、棚板の端部を下側から受けて棚板を容器の底から所定の高さ位置に支持する棚板支持用突起が前記開放可能に形成された側壁以外の対向する一対の側壁の容器内壁面にそれぞれ突設されているので、必要に応じて棚板を棚板支持用突起に支持させれば、棚板によって容器内を高さ方向に複数に仕切ることができる。
したがって、異なる種類の物品を上下に分けて収容することができるとともに、陳列棚としても有効に用いることができる。
【００１１】
また、棚板が、棚板支持用突起に受けられる少なくとも一方の棚板の端部に、棚板支持用突起が通過可能な切欠を有するとともに、棚板支持用突起が形成された容器の内壁面に平行な方向に容器内を水平移動可能な寸法に形成されている構成とすれば、切欠部分を突起の位置にあわせれば、棚板支持用突起が邪魔になることなく、棚板を容器の高さ方向に容易に移動させることができるとともに、棚板を水平方向にずらして切欠の位置を棚板支持用突起から外れた位置にして棚板の端部を棚板支持用突起に受けさせて、突起の高さ位置に棚板を支持できる。すなわち、棚板の着脱が容易となる。
【００１２】
一方、棚板が折り畳み状態の容器内に収容可能に形成されている構成とすれば、折り畳んで輸送する場合でも、棚板が邪魔にならず、また、棚板の散逸も防止できる。
さらに、棚板に指挿入用孔が穿設されている構成とすれば、指挿入用孔に指を入れて容易に棚板を操作できるようになり、棚板の着脱が容易となる。
【発明を実施するための最良の形態】
【００１３】
以下に、本発明を、その実施の形態をあらわす図面を参照しつつ詳しく説明する。
【００１４】
図１には、本発明の折り畳み容器１の一実施形態が示されている。
【００１５】
この折り畳み容器１は、対向する一対の短辺枠材２１および長辺枠材２２からなる上枠体２と、方形状の収容部３１およびその周縁に一体に形成された周縁部３２からなる底板３と、一対の短側板４と、それぞれ上部長側板５１の下端部および下部長側板５２の上端部が折り畳み自在に連結された一対の長側板５と、側板６と、棚板７と、から構成され、上枠体２の各短辺枠材２１の下端部に各短側板４の上端部がそれぞれ回動自在に連結され、また、上枠体２の各長辺枠材２２の下端部に各長側板５における上部長側板５１の上端部がそれぞれ回動自在に連結される一方、底板３の各長辺側周縁部に各長側板５における下部長側板５２の下端部がそれぞれ回動自在に連結されて形成されている。
【００１６】
なお、一方の長側板５には、その周縁部を残して上部長側板５１および下部長側板５２にわたる開口部５ａが形成されている。
【００１７】
上枠体２の各短辺枠材２１の下端部には、設定間隔をおいて複数個のヒンジブラケット２１ａが設けられており、これらのヒンジブラケット２１ａに、後述する短側板４の上端部に形成された複数個のヒンジ用切欠部４ａがそれぞれ嵌合されている。そして、各短辺枠材２１に対して各短側板４が、ヒンジブラケット２１ａに形成された嵌合部（図示せず）およびヒンジ用切欠部４ａに設けられたヒンジピン４ｂ（図３参照）を介してそれぞれ回動自在に連結されている。
【００１８】
また、上枠体２の各長辺枠材２２の下端部には、設定間隔をおいて複数個のヒンジ用切欠部２２ａが形成されており、これらのヒンジ用切欠部２２ａに、後述する長側板５における上部長側板５１の上端部に設けられた複数個のヒンジブラケット５１ａがそれぞれ嵌合されている。そして、各長辺枠材２２に対して各長側板５の上部長側板５１が、ヒンジ用切欠部２２ａおよびヒンジブラケット５１ａの図示しないヒンジピンおよびピン孔を介してそれぞれ回動自在に連結されている。
【００１９】
底板３は、図２に示すように、物品を収容する収容部３１および該収容部３１の周縁に一体に形成され、短側板４および長側板５をそれぞれ支持する周縁部３２からなり、周縁部３２の表面は、収容部３１の表面よりも側板６および棚板７の合計の厚みを若干越える高さだけ上方に位置して形成されている。そして、底板３における収容部３１の表面には、各長辺側端縁近傍に位置して、係合部としての複数個の係合突起３ｘが設定間隔をおいて形成されている。
【００２０】
また、底板３における周縁部３２のうち、短辺側周縁部の外周縁には、長辺側周縁部の上面に連続する高さの立上片３２１が形成されており、短側板４の下部外面と当接するように設定されている。
【００２１】
一方、底板３における周縁部３２のうち、長辺側周縁部には、設定間隔をおいて複数個のヒンジ用切欠部３２ａが形成されており、これらのヒンジ用切欠部３２ａに、長側板５における下部長側板５２の下端部に設けられた複数個のヒンジブラケット５２ａがそれぞれ嵌合されている。そして、底板３に対して各長側板５の下部長側板５２が、ヒンジ用切欠部３２ａおよびヒンジブラケット５２ａの図示しないヒンジピンおよびピン孔を介してそれぞれ回動自在に連結されている。
【００２２】
短側板４は、略浅い箱状に形成され、その上端部には、上枠体２の短辺枠材２１に形成されたヒンジブラケット２１ａに対応して複数個のヒンジ用切欠部４ａが形成され、該ヒンジ用切欠部４ａには、ヒンジピン４ｂが設けられている。そして、短側板４の内面側左右各端縁近傍には、図３に示すように、それぞれ係合部としての係合突起４ｘが上端近傍
から下端近傍にかけて連続して形成されている他、その外面側左右各端縁には、後述する長側板５の被嵌合リブ５ｂの厚みに相当する間隔をおいてそれぞれ嵌合リブ４ｃが外方に突出して形成されている。
【００２３】
すなわち、短側板４は、上枠体２の短辺枠材２１に対して短側板４をそれぞれ回動させ、その外面側下端部を立上片３２１に当接させるとともに、下端面を底板３の短辺側周縁部に支持した際、短側板４の内面が底板３の収容部３１の短辺側周縁の垂直面上に位置するように設定されている。
また、短側板４の内面には、後述する棚板７を支持する突起（ボス）８が、上端部と中間部の上下2箇所に水平方向に2個ずつ設けられている。
【００２４】
長側板５は、上部長側板５１の下端部および下部長側板５２の上端部が折り畳み自在に連結されて構成され、上部長側板５１の上端部には、上枠体２の長辺枠材２２に形成されたヒンジ用切欠部２２ａに対応して複数個のヒンジブラケット５１ａが形成され、また、下部長側板５２の下端部には、底板３の長辺側周縁部に形成されたヒンジ用切欠部３２ａに対応して複数個のヒンジブラケット５２ａが形成されている。さらに、長側板５における上部長側板５１の内面側左右各端縁および下部長側板５２の内面側左右各端縁には、内方に向かって突出する断面Ｌ字状の被嵌合リブ５ｂ（図４参照）が形成されている。そして、長側板５を垂直状態に立設して、短側板４を回動した際、図４に示すように、長側板５の被嵌合リブ５ｂに短側板４の嵌合リブ４ｃが嵌合するように設定されている。
すなわち、長側板５は、上枠体２の長辺枠材２２に対して上部長側板５１を回動させるとともに、底板３における周縁部３２の長辺側周縁部に対して下部長側板５２を回動させ、上部長側板５１および下部長側板５２を伸展させて長側板５を底板３の長辺側周縁部に支持した際、長側板５の内面が底板３の収容部３１の長辺側周縁の垂直面上に位置するように設定されている。
【００２５】
側板６は、対向する一対の短側板４の内面間隔に略相当する幅と、ほぼ底板３の収容部３１の表面から上枠体２の上面までの間隔に略相当する高さと、底板３の収容部３１の周縁から突起部３ｘの外縁までの間隔に略相当する厚みを有してほぼ方形状に形成され、その上端部近傍には、把手用孔６ａが形成されている（図１参照）。そして、側板６は、一方の長側板５の内面に沿う位置と、他方の長側板５の内面に沿う位置と、底板３の収容部３１の表面に載置する位置とに選択的に配置することができ、側板６を一方の長側板５の内面に沿って配置した際には、一方の長側板５の開口部５ａを閉鎖することができる。
なお、この折り畳み容器１を物品保管用あるいは仕分け用としてのみ用いる場合には、側板６は無くても構わない。
【００２６】
棚板７は、長手方向の両端にそれぞれ水平方向に並ぶ２つの棚板支持用突起８と同じ間隔で棚板支持用突起８が通過可能な2つの切欠７１が設けられているとともに、底板３の収容部３１に収容可能で、長手方向の寸法が対向する一対の短側板４の内面間隔より少し短く、短手方向の寸法が、対向する一対の長側板５の内面間隔より1つの切欠７１の幅以上短くなっている（図８参照）。
また、棚板７の中央部分には、大人の人の親指がスムーズに通過する程度の大きさをした２つの指挿入用孔７２が設けられている。
【００２７】
次に、このように構成された折り畳み容器１の使用方法を説明する。
【００２８】
まず、図１に示した容器１の組み立て状態において、側板６を底板３の収容部３１の表面に載置した後（図１の一点鎖線状態）、対向する一対の短側板４の外面側下部を内方に向けて押し込み、上枠体２に対して各短側板４をそれぞれ跳ね上げる。この際、短側板４の下端面は、底板３の収容部３１の表面に載置された側板６の表面よりも若干上方に位置しているため、側板６に干渉することなく短側板４を回動させることができる。
【００２９】
短側板４を内方に跳ね上げた後、長側板５を構成する上部長側板５１および下部長側板５２の連結部を内方に向けて押し込めば、上枠体２と底板３との間において、各長側板５の上部長側板５１および下部長側板５２がそれぞれく字状に折曲して二つ折りされる。すなわち、上枠体２の長辺枠材２２に対して上部長側板５１が内方に回動するとともに、底板３の長辺側周縁部に対して下部長側板５２が内方に回動し、底板３の収容部３１に載置された側板６の上に二つ折りされた上部長側板５１および下部長側板５２が積み重ねられて収納され、さらに、底板３の周縁部３２に上枠体２が積み重ねられることから、図５に示すように、小さな容積に折り畳むことができる。この際、上枠体２によって区画された内方において、二つ折りされた長側板５の上に短側板４がそれぞれ積み重ねられる。
【００３０】
一方、折り畳み容器１を使用する場合は、図５に示す折り畳み状態から、上枠体２を把握して上方に持ち上げれば、上枠体２に連結された長側板５の上部長側板５１が追従して引き上げられる。そして、上部長側板５１に連結された下部長側板５２も上部長側板５１に対して回動角度を徐々に大きくなるように伸展し、追従して引き上げられる。この際、短側板４を支えていた長側板５が伸展するため、短側板４は自重で下方に回動する。この後、各短側板４の下部内面側を外方に向けて押圧すれば、その下端面が底板３の短辺側周縁部に乗り上げるとともに、外面側下端部が立上片３２１に当接することから、その内面が垂直面を形成するように立設することができる。そして、短側板４が回動にすることにより、その左右側端面が長側板５の内面を支持して長側板５が屈曲することを規制するとともに、長側板５の上部長側板５１の左右各端縁および下部長側板５２の左右各端縁にそれぞれ形成された被嵌合リブ５ｂに短側板４の嵌合リブ４ｃが嵌合し、上枠体２に対する短側板４の跳ね上がりを、底板３の短辺側周縁部に対する短側板４の下端面の嵌合による摩擦抵抗とともに、長側板５の被嵌合リブ５ｂに対する短側板４の嵌合リブ４ｃの嵌合による摩擦抵抗によって防止することができる。
【００３１】
容器１が組み立てられたならば、一方の長側板５の内面に沿って側板６を差し込めば、その左右各端縁および下端縁が短側板４の係合突起４ｘおよび底板３の係合突起３ｘに係合することから、側板６は、倒れが規制されて立設状態に保持される。したがって、一方の長側板５の開口部５ａを側板６によって閉鎖することができる。
【００３２】
したがって、容器１の上方開口部を通して内部に物品を収容することができ、物品を収容した容器１を積み重ねて保管し、あるいは、輸送することができる（図６参照）。この際、側板６の左右各端面は、短側板４の内面に当接しており、短側板４の跳ね上がりを規制することができることから、短側板４の意図しない跳ね上げによって積み重ねた容器１の荷崩れを確実に防止することができる。
【００３３】
また、図８（ｂ）に示すように、底板３の収容部３１にある棚板７の指挿入用孔７２に指を通し、切欠７１を棚板支持用突起８に一致させて棚板７の端部が棚板支持用突起８に当たらないようにしながら、棚板７を中間位置の棚板支持用突起８上方に引き上げたのち、図８（ｃ）に示すように、切欠７１を棚板支持用突起８からずれた位置になるように、棚板７を一方の長側板５側へスライドさせて、棚板７の端部を棚板支持用突起８によって下側から支持するように配置し、棚板７によって容器１内を2段に仕切るようにすることができる。
【００３４】
すなわち、上記のように棚板７によって容器１内を上下２段に仕切れば、たとえば、種類の異なる２つの物品を１つの容器１内で仕分けた状態で輸送することができる。
【００３５】
一方、物品を目的地まで輸送した後、側板６を引き上げれば、一方の長側板５の開口部５ａを開放することができることから、その後、容器１を積み重ねた状態で、開放された開口部５ａを通して物品を取り出すことができる（図７参照）。この場合、一方の長側板５に沿って引き上げた側板６については、他方の長側板５の内面に沿って同様に差し込むことにより、底板３の係合突起３ｘおよび短側板４の係合突起４ｘによって立設状態に保持することができることから、側板６の紛失を防止することができる。また、側板６の左右各端面が短側板４の内面に当接して、短側板４の跳ね上がりを規制できることから、短側板４の意図しない跳ね上げによって積み重ねた容器１が荷崩れするのを確実に防止することができる。
【００３６】
なお、物品の取り出しが終了して容器１を回収する場合は、指挿入用孔７２に指を入れて棚板７を少し持ち上げ、棚板支持用突起８に支持されている棚板７を切欠７１が棚板支持用突起８の位置にくるようにスライドさせたのち、棚板支持用突起８を切欠７１に通して底板３の収容部３１まで落としこんだのち、前述したように、側板６を底板３の収容部３１の表面に載置した後、一対の短側板４の外面側下部を内方に向けて押し込んで上枠体２に対して各短側板４をそれぞれ跳ね上げ、次いで、長側板５を構成する上部長側板５１および下部長側板５２の連結部を内方に向けて押し込めば、上枠体２と底板３との間において、各長側板５の上部長側板５１および下部長側板５２がそれぞれく字状に折曲して二つ折りされ、側板６の上に積み重ねられるとともに、その上に短側板４がそれぞれ積み重ねられ、さらに、底板３の周縁部３２に上枠体２が積み重ねられて折り畳むことができる（図５参照）。
【００３７】
したがって、空の容器１を回収する場合は、容積を小さくして輸送することができ、輸送効率を向上させることができる。
【００３８】
本発明にかかる折り畳み容器は、上記の実施の形態に限定されない。たとえば、側板６を棚板と兼用できるようにしても構わない。
上記の実施の形態では、切欠７１が棚板７の長手方向の両端部に設けられていたが、一方の端部でも構わない。
【００３９】
上記の実施の形態では、棚板支持用突起８が容器１の高さ方向に２箇所設けていたが、中間位置の１箇所でも構わないし、３箇所以上でも構わない。また、棚板支持用突起の棚板を受ける面に凹部（小突起）を設けるとともに、棚板の棚板支持用突起に受けられる部分にこの凹部（小突起）が嵌り込む小突起（凹部）を設け、棚板の水平方向への移動を防止する構造を設けるようにしても構わない。さらに、棚板の数も１枚に限らず、突起が高さ方向に２段以上に設けられている場合は、２枚以上にしても構わない。
【図面の簡単な説明】
【００４０】
【図１】本発明の折り畳み容器の一実施形態を示す斜視図である。
【図２】図１の容器の底板を一部省略して示す平面図、そのＡ−Ａ線断面図およびＢ−Ｂ線断面図である。
【図３】図１の容器の短側板を一部省略して示す正面図およびそのＣ−Ｃ線断面図である。
【図４】図１の容器を一部省略して示す横断面図である。
【図５】図１の容器を折り畳んだ状態を説明する斜視図である。
【図６】図１の容器を輸送容器として使用する状態を説明する斜視図である。
【図７】図１の容器をピッキング容器として使用する状態を説明する斜視図である。
【図８】図１の容器の棚板を突起に支持させる方法を説明する平面図である。
【符号の説明】
【００４１】
１  折り畳み容器
２  上枠体
２１  短辺枠材
２２  長辺枠材
３  底板
３１  収容部
３２  周縁部
３ｘ  係合突起（係合部）
４  短側板
４ｘ  係合突起（係合部）
５  長側板
５１  上部長側板
５２  下部長側板
６  側板
７  棚板
７１  切欠
７２  指挿入用孔
８  棚板支持用突起
【図１】
2008239188.tif 000003
【図２】
2008239188.tif 000004
【図３】
2008239188.tif 000005
【図４】
2008239188.tif 000006
【図５】
2008239188.tif 000007
【図６】
2008239188.tif 000008
【図７】
2008239188.tif 000009
【図８】
2008239188.tif 000010